(57)【要約】【課題】天井の照明装置、空調装置、スプリンクラー等の配置を変更することなく、またそれらの障害となることを大幅に抑えて、個室空間を簡単に形成することができ、しかも、個室空間の開口部を、屈んだりすることなく、安全に通過しうるようにした個室空間形成装置を提供する。【解決手段】床面１に立設したパネル状の第１および第２仕切手段２、３の一端部同士を互いに連結することにより、平面視Ｌ字状に形成された基本仕切部４と、第１仕切手段２の他端部に連結された第３仕切手段５、第２仕切手段３の他端部に連結された第４仕切手段６、および第３および第４仕切手段５、６の間の空間７を開閉する開閉仕切手段８からなる外装仕切部９とを有する個室空間形成装置において、基本仕切部４の高さを、外装仕切部９の高さより低くする。【選択図】  図１
2010101070.tif 000002
【特許請求の範囲】
【請求項１】
床面に立設したパネル状の第１および第２仕切手段の一端部同士を互いに連結することにより、平面視Ｌ字状に形成された基本仕切部と、前記第１仕切手段の他端部に連結された第３仕切手段、前記第２仕切手段の他端部に連結された第４仕切手段、および前記第３および第４仕切手段の間の空間を開閉する開閉仕切手段からなる外装仕切部とを有する個室空間形成装置において、
前記基本仕切部の高さを、外装仕切部の高さより低くしたことを特徴とする個室空間形成装置。
【請求項２】
基本仕切部において、第１仕切手段に対して、第２仕切手段を平面視Ｔ字状に連結することにより、２個の個室空間を互いに隣接して形成するようにした請求項１記載の個室空間形成装置。
【請求項３】
基本仕切部において、第１仕切手段に対して、２個の第２仕切手段を平面視十字状に連結することにより、４個の個室空間を互いに隣接して形成するようにした請求項１記載の個室空間形成装置。
【請求項４】
床面に立設したパネル状の第１仕切手段の両端部に、第２仕切手段をそれぞれ連結することにより、平面視コ字状に形成された基本仕切部と、前記第２仕切手段のそれぞれの他端部に連結された１対の第３仕切手段、および両第３仕切手段の間の空間を開閉する開閉仕切手段からなる外装仕切部とを有する個室空間形成装置において、
前記基本仕切部の高さを、外装仕切部の高さより低くしたことを特徴とする個室空間形成装置。
【請求項５】
開閉仕切手段が、互いに対向する仕切手段の上端間に架設したガイドレールと、このガイドレールに吊支されて、前記互いに対向する仕切手段の間の空間を開閉する扉とを備えている請求項１〜４のいずれかに記載の個室空間形成装置。
【請求項６】
基本仕切部の高さを、外装仕切部の高さより、２０〜６０ｃｍ低くした請求項１〜５のいずれかに記載の個室空間形成装置。
【発明の詳細な説明】
【技術分野】
【０００１】
本発明は、病院や介護施設等において、広い室内に、複数の個室空間を所望通りに形成するための装置に関する。
【背景技術】
【０００２】
従来のこの種の個室空間形成装置としては、複数のパネルと、アコーディオンカーテン等の扉装置とを組み合わせて、複数の個室空間を形成するようにしたものがある(例えば、特許文献１〜４参照)。
【特許文献１】特開２００７−３３２６８５号公報
【特許文献２】特開２００７−００２５４１号公報
【特許文献３】特開２００５−２１８７０１号公報
【特許文献４】特許第３７６９５５３号公報
【発明の開示】
【発明が解決しようとする課題】
【０００３】
しかし、上述のような従来の装置においては、室内の天井等に取付けられた照明装置、空調装置、スプリンクラー等の配置と、個室空間形成用のパネル等との配置が不適切となることが多い。
例えば、天井照明や空調空気が、個室空間形成用のパネルに遮られ、いずれかの個室に適切に届かなくなったり、上記パネルがスプリンクラーの散水障害となることがある。
【０００４】
そのような場合に、天井の照明装置、空調装置、スプリンクラー等の配置をその都度変更していたのでは、面倒であるし、多大な工事費用がかかる。
【０００５】
上記の問題を解決するため、パネル全体の高さを、天井の高さより大幅に低くすることが考えられるが、そのようにすると、扉を開いて、人が個室空間の開口部を通過する際、アコーディオンカーテン等の扉を吊支するガイドレールに頭部が当たったり、それを避けるため、屈んだりしなければならない等の問題が生じる。
【０００６】
本発明は、従来の技術が有する上記のような問題点に鑑み、天井の照明装置、空調装置、スプリンクラー等の配置を変更することなく、またそれらの障害となることを大幅に抑えて、個室空間を簡単に形成することができ、しかも、個室空間の開口部を、屈んだりすることなく、安全に通過しうるようにした個室空間形成装置を提供することを目的としている。
【課題を解決するための手段】
【０００７】
本発明によると、上記課題は、次のようにして解決される。
(１)  床面に立設したパネル状の第１および第２仕切手段の一端部同士を互いに連結することにより、平面視Ｌ字状に形成された基本仕切部と、前記第１仕切手段の他端部に連結された第３仕切手段、前記第２仕切手段の他端部に連結された第４仕切手段、および前記第３および第４仕切手段の間の空間を開閉する開閉仕切手段からなる外装仕切部とを有する個室空間形成装置において、前記基本仕切部の高さを、外装仕切部の高さより低くする。
【０００８】
このような構成とすると、外装仕切部の上端を、室内の天井に近接または当接させて配置したとしても、基本仕切部の上端と天井との間に空間が形成されるので、この空間を利用して、天井照明や空調空気、並びにスプリンクラーの散水等を通すことができる。
したがって、天井の照明装置、空調装置、スプリンクラー等の配置を変更することなく、またそれらの障害となることを大幅に抑えて、個室空間を簡単に形成することができる。
しかも、外装仕切部の高さを十分確保することができるので、個室空間の開口部を、屈んだりすることなく、安全に通過することができる。
【０００９】
(２)  上記(１)項において、基本仕切部において、第１仕切手段に対して、第２仕切手段を平面視Ｔ字状に連結することにより、２個の個室空間を互いに隣接して形成する。
【００１０】
このような構成とすると、基本仕切部における第２仕切手段を共通として、互いに隣接する２個の個室空間を、簡単かつ安価に形成することができる。
【００１１】
(３)  上記(１)項において、基本仕切部において、第１仕切手段に対して、２個の第２仕切手段を平面視十字状に連結することにより、４個の個室空間を互いに隣接して形成する。
【００１２】
このような構成とすると、基本仕切部における第１および第２仕切手段を共通として、互いに隣接する４個の個室空間を、簡単かつ安価に形成することができる。
【００１３】
(４)  床面に立設したパネル状の第１仕切手段の両端部に、第２仕切手段をそれぞれ連結することにより、平面視コ字状に形成された基本仕切部と、前記第２仕切手段のそれぞれの他端部に連結された１対の第３仕切手段、および両第３仕切手段の間の空間を開閉する開閉仕切手段からなる外装仕切部とを有する個室空間形成装置において、前記基本仕切部の高さを、外装仕切部の高さより低くする。
【００１４】
このような構成とすると、上記(１)項の効果と同様の効果を奏することができる。
【００１５】
(５)  上記(１)〜(４)項のいずれかにおいて、開閉仕切手段が、互いに対向する仕切手段の上端間に架設したガイドレールと、このガイドレールに吊支されて、前記互いに対向する仕切手段の間の空間を開閉する扉とを備えるものとする。
【００１６】
このような構成とすると、従属する上記(１)または(４)項の構成により、外装仕切部全体の高さを十分高く維持することができるので、開閉仕切手段におけるガイドレールを、高い位置に保持することができ、個室空間の開口部を、屈んだりすることなく、安全に通過することができる。
【００１７】
(６)  上記(１)〜(５)項のいずれかにおいて、基本仕切部の高さを、外装仕切部の高さより、２０〜６０ｃｍ低くする。
【００１８】
このような構成とすると、開閉仕切手段を、人が屈んだりすることなく、安全に通過することができるように、外装仕切部の高さを十分高く維持することができるとともに、天井から基本仕切部の上端までの間に、天井照明や空調空気、並びにスプリンクラーの散水等を通すことができる十分な空間を形成することができる。
【発明の効果】
【００１９】
本発明によると、天井の照明装置、空調装置、スプリンクラー等の配置を変更することなく、またそれらの障害となることを大幅に抑えて、個室空間を簡単に形成することができ、しかも、個室空間の開口部を、屈んだりすることなく、安全に通過しうるようにした個室空間形成装置を提供することができる。
【発明を実施するための最良の形態】
【００２０】
以下、本発明の実施形態を、添付図面を参照して説明する。  
図１〜図３は、本発明の第１の実施形態を示す。
この個室空間形成装置は、床面１に立設したパネル状の第１および第２仕切手段２、３の一端部同士を互いに連結することにより、平面視Ｌ字状に形成された基本仕切部４と、第１仕切手段２の他端部に連結された第３仕切手段５、第２仕切手段３の他端部に連結された第４仕切手段６、および第３および第４仕切手段５、６の間の空間７を開閉する開閉仕切手段８からなる外装仕切部９とを有しており、基本仕切部４の高さを、外装仕切部９の高さより低くしてある。
【００２１】
基本仕切部の高さＨ１は、外装仕切部の高さＨ２より、２０〜６０ｃｍ低くするのが好ましい。
【００２２】
第１仕切手段２を構成するパネル１０には、開閉可能な窓１１が設けられており、この窓１１を開くことにより、例えば病室の壁面に設けられた吸引器その他の医療用機器(図示略)を使用しうるようにしてある。
また、第１仕切手段２の前面両側部には、ロッカー１２およびキャビネット１３を配設してある。
【００２３】
第２仕切手段３を構成するパネル１４には、嵌め込み障子とした透光性の窓１５が設けられている。この窓１５は、すりガラスのような半透明のパネル(図示略)としたり、その内側にブラインド(図示略)を設けたものとしてもよい。
また、パネル１４の内側で、かつ窓１５の下方には、袖箱１６ａ付きの机１６と、椅子１７とが配設されている。
【００２４】
第３仕切手段５は、上半部をガラス窓１８としたパネル１９により構成されており、第４仕切手段６は、不透明のパネル２０のみにより構成されている。
【００２５】
パネル１９とパネル２０の上端には、屈曲部を円弧状とした平面視ほぼＬ字状のガイドレール２１の両端部がそれぞれ固着されている。
このガイドレール２１における第３仕切手段５と第４仕切手段６との間には、図１に示すように空間７を開いたり、図２に示すように空間７を閉じたりする扉であるアコーディオン式カーテン２２が、ガイドレール２１に沿って移動自在に吊支されている。
このガイドレール２１とアコーディオン式カーテン２２とによって、開閉仕切手段８が構成されている。
【００２６】
図３に示すように、第２仕切手段３を構成するパネル１４と、第４仕切手段６を構成するパネル２０との連結部の内隅には、直角三角形の棚板２３が、両パネル１４、２０に固着されるようにして取付けられており、それによって、棚板２３が両パネル１４、２０に対する火打ばりの役目をしている。
図３には、この個室空間形成装置を、病院の個室形成用として用いたときのベッド２４を想像線で示してある。
【００２７】
この個室空間形成装置は、上記のように、基本仕切部４の高さを、外装仕切部９の高さより低くしてあるので、外装仕切部９の上端を、室内の天井(図示略)に近接または当接させて配置したとしても、基本仕切部４の上端と天井との間に空間が形成されるので、この空間を利用して、天井照明や空調空気、並びにスプリンクラーの散水等を通すことができる。
したがって、天井の照明装置、空調装置、スプリンクラー等の配置を変更することなく、またそれらの障害となることを大幅に抑えて、個室空間Ａを簡単に形成することができる。
しかも、外装仕切部９の高さを十分確保することができるので、個室空間Ａの開口部を、屈んだりすることなく、安全に通過することができる。
【００２８】
図４は、本発明の第２の実施形態を示す概略平面図である。なお、第１の実施形態におけるのと同一または類似の部材には、同一の符号をもって図示するに止め、それらについての詳細な説明は省略する(第３以後の実施形態においても同一とする)。
【００２９】
この実施形態においては、基本仕切部４において、第１仕切手段２に対して、第２仕切手段３を平面視Ｔ字状に連結することにより、２個の個室空間Ａ１、Ａ２を互いに隣接して形成するようにしてある。
また、このときの基本仕切部４の高さを、外装仕切部９の高さより低くしてあることは、第１の実施形態と同一であり、それによって第１の実施形態と同様の効果を奏することができる(そのことは、第３以後の実施形態においても同様である)。
【００３０】
このような構成とすると、基本仕切部４における第２仕切手段３を共通として、互いに隣接する２個の個室空間Ａ１、Ａ２を、簡単かつ安価に形成することができる。
【００３１】
図５は、本発明の第３の実施形態を示す概略平面図である。
この実施形態においては、基本仕切部４において、第１仕切手段２に対して、２個の第２仕切手段３、３を平面視十字状に連結することにより、４個の個室空間Ａ１、Ａ２、Ａ３、Ａ４を互いに隣接して形成するようにしてある。
【００３２】
このような構成とすると、基本仕切部４における第１および第２仕切手段２、３を共通として、互いに隣接する４個の個室空間Ａ１〜Ａ４を、簡単かつ安価に形成することができる。
【００３３】
図６は、本発明の第４の実施形態を示す概略平面図である。
この実施形態においては、床面１に立設した左右方向に長いパネル状の第１仕切手段２の前面における右側端を除く３箇所に、前方を向く第２仕切手段３の後端をそれぞれ連結することにより、３個の個室空間Ａ１、Ａ２、Ａ３を、互いに隣接して形成するようにしてある。
【００３４】
この場合、左から２個の個室空間Ａ１、Ａ２は、それらの間の第２仕切手段３を共通として、基本仕切部４が平面視コ字状に形成されている。その各第２仕切手段３のそれぞれの前端部に、１対の第３仕切手段５、５を、互いに対向するようにして連結し、かつその対向する１対の第３仕切手段５、５の間に、その間の空間７を開閉する開閉仕切手段８を設けることにより、１対の第３仕切手段５、５と開閉仕切手段８とをもって、外装仕切部９が構成されている。
【００３５】
右端の個室空間Ａ３は、中央の個室空間Ａ２と、それらの間の第２仕切手段３を共通として、基本仕切部４が、第１の実施形態と同一の平面視Ｌ字状に形成され、第１の実施形態と同様に、第１仕切手段２の右端に、第３仕切手段５を連結し、かつ第２仕切手段３の前端に、第４仕切手段６を連結し、さらに第３仕切手段５と第４仕切手段６との間に、それらの間の空間７を開閉する開閉仕切手段８を設けることにより、外装仕切部９も第１の実施形態と同一としてある。
この外装仕切部９は、基本仕切部４より高く形成してあり、第１の実施形態と同様の効果を奏することができる。
【００３６】
本発明は、上記実施形態のみに限定されるものではなく、幾多の変形した態様での実施が可能である。
例えば、窓１１、１５を別のパネルに設けたり、ロッカー１２、キャビネット１３、机１６、椅子１７等の備品のレイアウトを適宜変更してもよい。
【図面の簡単な説明】
【００３７】
【図１】本発明の第１の実施形態の開閉仕切手段を開いたときの外観斜視図である。
【図２】同じく、開閉仕切手段を閉じたときの外観斜視図である。
【図３】同じく、平面図である。
【図４】本発明の第２の実施形態の概略平面図である。
【図５】本発明の第３の実施形態の概略平面図である。
【図６】本発明の第４の実施形態の概略平面図である。
【符号の説明】
【００３８】
Ａ、Ａ１、Ａ２、Ａ３、Ａ４  個室空間
１  床面
２  第１仕切手段
３  第２仕切手段
４  基本仕切部
５  第３仕切手段
６  第４仕切手段
７  空間
８  開閉仕切手段
９  外装仕切部
１０  パネル
１１  窓
１２  ロッカー
１３  キャビネット
１４  パネル
１５  窓
１６  机
１６ａ袖箱
１７  椅子
１８  ガラス窓
１９  パネル
２０  パネル
２１  ガイドレール
２２  アコーディオン式カーテン(扉)
２３  棚板
２４  ベッド
【図１】
2010101070.tif 000003
【図２】
2010101070.tif 000004
【図３】
2010101070.tif 000005
【図４】
2010101070.tif 000006
【図５】
2010101070.tif 000007
【図６】
2010101070.tif 000008